(57)【要約】      （修正有）【課題】肩紐の一部を留めて肩紐の長さを調節する調節留め具が外側から視認されることがない新たな肩紐付き衣類を提供する。【解決手段】肩紐付き衣類１は、肩紐２Ａ、２Ｂの一部を留めて肩紐の長さを調節する調節留め具３が、衣類本体１０の内側部分に存在し続けるよう取り付けられている。調節留め具３は、衣類本体１０の背中側の内側部分に取り付けられ、また、調節留め具３は、その一部が布材により衣類本体１０の内側部分に固定された状態で取り付けられている。【選択図】図２
0003204893.tif 000002
【実用新案登録請求の範囲】
【請求項１】
肩紐の一部を留めて肩紐の長さを調節する調節留め具が、衣類本体の内側部分に存在し続けるよう取り付けられていることを特徴する肩紐付き衣類。
【請求項２】
前記調節留め具は、前記衣類本体の背中側の内側部分に取り付けられている請求項１に記載の肩紐付き衣類。
【請求項３】
前記調節留め具は、その一部が布材により前記衣類本体の内側部分に固定された状態で取り付けられている請求項１又は２に記載の肩紐付き衣類。
【請求項４】
前記衣類本体の内側部分に、前記肩紐のうち前記調節留め具で留められた部分以外で当該衣類本体の内側部分に存在する部分の一部を当該衣類本体の内側部分に接触又は接近させた状態に保つ保持部を設けている請求項１乃至３のいずれかに記載の肩紐付け衣類。
【請求項５】
前記肩紐のうち前記衣類本体の内側部分に存在する端部に、少なくとも前記調節留め具から抜けて外れることを防止する抜け防止部を設けている請求項１乃至４のいずれかに記載の肩紐付け衣類。
【請求項６】
前記調節留め具は、２つの肩紐通し孔を有する板状体である請求項１乃至５のいずれかに記載の肩紐付け衣類。
【請求項７】
前記肩紐は、ゴム紐を布材で覆った構造で構成されている請求項１乃至６のいずれかに記載の肩紐付け衣類。
【考案の詳細な説明】
【技術分野】
【０００１】
この考案は、肩紐（ストラップ）がその長さを調節できるように取り付けられた肩紐付き衣類に関するものである。
【背景技術】
【０００２】
キャミソール、ブラジャー、ブラキャミソール、スリップ、ブラスリップ等の肩紐付き衣類は、その衣類本体の上端部に左右一対の肩紐が、その肩紐の一部を留めて肩紐の長さを調節する調節留め具と組み合わせて取り付けられている。
このような肩紐付き衣類は、その肩紐が、例えば、隣接する２つの肩紐通し孔を有する板状体からなる所謂エイト環（エイトカン）等に代表される調節留め具と組み合わせて次のように取り付けられている。
つまり、肩紐は、一般にその両端が衣類本体の胸側及び背側の上端部に装着用の留め具などを介して取り付けられるが、そのうち背側に配置される一端部が、装着用の留め具などを介して内側に折り返された後、調節留め具の一部（上記エイト環の場合には２つの肩紐通し孔の間にある仕切り部）に固定される。また、その肩紐は、その一端部と反対側の他端部が、調節留め具の上記仕切り部を乗り越えるような状態で２つの肩紐通し孔を通過した後、衣類本体の胸側において装着用の留め具などを介して取り付けられている。そして、その調節留め具を上下にずらして肩紐の折り返し部分の長さを変更することにより、肩紐の長さを調節することができるようになっている。
【０００３】
従来においても、このような調整留め具などと組み合わせて肩紐を取り付けている肩紐付き衣類として、例えば、特許文献１に示されるような衣類などが提案されている。
【先行技術文献】
【特許文献】
【０００４】
【特許文献１】特開２０００−３０３２１４号公報
【考案の開示】
【考案が解決しようとする課題】
【０００５】
しかしながら、従来の肩紐付き衣類は、上記特許文献１に示される衣類の場合も同じであるが、図９（ａ）に例示すように、調節留め具３０が衣類本体１０から離れて肩紐２０の途中の位置に存在している。
このため、肩紐付き衣類を着用した場合、図９（ｂ）に例示すように、調節留め具３０が着用者の肩９０の上や肩９０の近くの位置に存在することになるため、その調節留め具３０が衣類の外に露出して見える状態になったり、その肩紐付き衣類の上に重ね着する他の衣類を通して調節留め具３０が存在する部分が外側に膨れ上がった状態で見えるようになってしまい、結果として見栄えが良くなかった。特に肩紐２０を露出させて着用するタイプの衣類（例えばキャミソール）にあっては、その肩紐２０の途中の位置に存在する調節留め具３０が外に露出して見えることになるので、おしゃれ感を損なうことがあった。なお、図中の符号６０は、肩紐３０の端部を衣類本体１０に装着するための装着用の留め具を示す。
【０００６】
この考案は、上述したような実情に鑑みてなされたものであり、肩紐の一部を留めて肩紐の長さを調節する調節留め具が外側から視認されることがない新たな肩紐付き衣類を提供するものである。
【課題を解決するための手段】
【０００７】
この考案（Ａ１）の肩紐付き衣類は、肩紐の一部を留めて肩紐の長さを調節する調節留め具が、衣類本体の内側部分に存在し続けるよう取り付けられていることを特徴するものである。
【０００８】
また、この考案（Ａ２）の肩紐付き衣類は、上記考案Ａ１の肩紐付き衣類において、前記調節留め具が、前記衣類本体の背中側の内側部分に取り付けられているものである。
この肩紐付き衣類の場合には、調節留め具が外側から視認されることがないことに加えて、着用感や見栄えが損なわれにくくなる。
【０００９】
この考案（Ａ３）の肩紐付き衣類は、上記考案Ａ１又はＡ２の肩紐付き衣類において、前記調節留め具は、その一部が布材により前記衣類本体の内側部分に固定された状態で取り付けられているものである。
この肩紐付き衣類の場合には、調節留め具が外側から視認されることがないことに加えて、調節留め具が衣類本体の内側部分に安定して存在し、取り扱いやすくなる。
【００１０】
この考案（Ａ４）の肩紐付き衣類は、上記考案Ａ１からＡ３のいずれかの肩紐付き衣類において、前記衣類本体の内側部分に、前記肩紐のうち前記調節留め具で留められた部分以外で当該衣類本体の内側部分に存在する部分の一部を当該衣類本体の内側部分に接触又は接近させた状態に保つ保持部を設けているものである。
この肩紐付き衣類の場合には、調節留め具が外側から視認されることがないことに加えて、肩紐の調節留め具で留められた部分以外で衣類本体の内側部分に存在する部分が衣類本体の内側部分に整然とした状態で存在するようになり、着用感や見栄えが損なわれるおそれがない。
【００１１】
この考案（Ａ５）の肩紐付き衣類は、上記考案Ａ１からＡ４のいずれかの肩紐付き衣類において、前記肩紐のうち前記衣類本体の内側部分に存在する端部に、少なくとも前記調節留め具から抜けて外れることを防止する抜け防止部を設けているものである。
この肩紐付き衣類の場合には、調節留め具が外側から視認されることがないことに加えて、肩紐が調節留め具から不用意に抜けて外れるおそれもなくなり、安心した着用感や取り扱いやすさが得られる。
【００１２】
この考案（Ａ６）の肩紐付き衣類は、上記考案Ａ１からＡ５のいずれかの肩紐付き衣類において、前記調節留め具が、２つの肩紐通し孔を有する板状体であるものである。
この肩紐付き衣類の場合には、調節留め具が外側から視認されることがないことに加えて、調節留め具として特殊なものを使用する必要がなく無駄なコスト上昇を回避することができる。
【００１３】
この考案（Ａ７）の肩紐付き衣類は、上記考案Ａ１からＡ６のいずれかの肩紐付き衣類において、前記肩紐が、ゴム紐を布材で覆った構造で構成されているものである。
この肩紐付き衣類の場合には、調節留め具が外側から視認されることがないことに加えて、肩紐の良好な着用感が得られる。
【考案の効果】
【００１４】
上記考案Ａ１の肩紐付き衣類によれば、肩紐の一部を留めて肩紐の長さを調節する調節留め具が外側から視認されることがない。
【図面の簡単な説明】
【００１５】
【図１】実施の形態１に係る肩紐付き衣類をその胸側から見たときの状態を示す斜視図である。
【図２】図１の肩紐付き衣類をその背中側から見たときの状態で示す斜視図である。
【図３】図１の肩紐付き衣類の構造を示す概略縦断面図である。
【図４】図１の肩紐付き衣類における背中側の衣類本体の内側部分の要部を示す説明図である。
【図５】図４の肩紐付き衣類のＱ−Ｑ線に沿う概略断面図である。
【図６】（ａ）は調節留め具の一例のエイト環を示す正面図、（ｂ）は（ａ）のエイト環の固定例を示す説明図、（ｃ）は（ｂ）の固定したエイト環に肩紐を通した状態を示す説明図である。
【図７】図１の肩紐付き衣類を着用した場合の背中側から見たときの状態を示す説明図である。
【図８】（ａ）は肩紐の長さ調節時の一工程を例示する概略断面説明図、（ｂ）は肩紐の長さを長い方に調節するときの状態を示す概略断面説明図、（ｃ）は肩紐の長さを短くする方に調整するときの状態を示す概略断面説明である。
【図９】（ａ）は従来の肩紐付き衣類をその背中側から見たときの状態で示す説明図、（ｂ）は（ａ）の従来の肩紐付き衣類を着用した場合の背中側から見たときの状態を示す説明図である。
【考案を実施するための形態】
【００１６】
以下、この考案を実施するための形態（以下「実施の形態」という）について図面を参照しながら説明する。
【００１７】
［実施の形態１］
図１〜図４は、実施の形態１に係る肩紐付き衣類１を示すものである。このうち図１はその肩紐付き衣類１を胸側（正面側）から見たときの状態を示し、図２はその肩紐付き衣類１を背中側（背面側）から見たときの状態を示し、図３はその肩紐付き衣類の断面の状態を概略的に示し、図４はその肩紐付き衣類１の背中側の一部をその内側から見たときの状態を示している。
【００１８】
肩紐付き衣類１は、図１、図２等に示されるように、衣類本体１０と、その衣類本体１０に取り付ける左右一対の肩紐２Ａ，２Ｂと、各肩紐２Ａ，２Ｂの一部を留めて各肩紐２Ａ，２Ｂの長さを調節する調節留め具３とを主に備えている。実施の形態１に係る肩紐付き衣類１は、キャミソールを例示している。
【００１９】
衣類本体１０は、着用者が実際に着用されて覆われる部位であり、衣類の種類に応じた形状や寸法で構成されている。この衣類本体１０は、所要の生地を所定のパターンに沿って裁断したものを縫製等の仕上げ処理をすることで形成される。ただし、この衣類本体１０は、肩紐２Ａ，２Ｂを取り付けて使用される衣類に対応した形状になる。ちなみに、実施の形態１における衣類本体１０は、上記キャミソールとなる形状で構成されている。図１、図２等において符号１０（Ｆ）は衣類本体１０のうち着用した際に胸側（正面側）に配置される胸側部分を示し、符号１０（Ｒ）は衣類本体１０のうち着用した際に背中側（背面側）に配置される背中側部分を示す。
【００２０】
肩紐２Ａ，２Ｂは、所要の材質、形状、寸法、構造等からなる肩紐であり、互いに同じ構成からなるものが使用される。実施の形態１における肩紐２Ａ，２Ｂとしては、芯材としてゴム紐を用い、そのゴム紐を布材で外側から覆うように挟み込んで布材の自由端を熱処理で溶着した構造からなるものを使用している。
【００２１】
調節留め具３は、例えば、図６に示されるように、隣接する２つの肩紐通し孔３２，３３を有する板状体からなる所謂エイト環３１が適用されている。図６等における符号３４は、２つの肩紐通し孔３２，３３の間にある仕切り部を示す。このうち肩紐通し孔３２，３３は、肩紐２Ａ，２Ｂを通すこととその一部を留めることが可能な形状や寸法に設定されている。このようなエイト環３１からなる調節留め具３は、金属、プラスチック等の材料にて製作される。
【００２２】
そして、この肩紐付き衣類１は、図２〜図４等に示されるように、肩紐２Ａ，２Ｂの長さ調整に使用する調節留め具３を、衣類本体１０のうち背中側の本体部分１０（Ｒ）の内側になる部分に存在し続けるよう取り付けている。ここで、内側とは、衣類１の着用時に着用者の人体と向き合う又は接する側をいう。
【００２３】
実施の形態１における調節留め具３は、図４や図５に示されるように、背中側の衣類本体部分１０（Ｒ）の主要部１１の上端側にある内側への折り返し部１２の上端付近の位置に存在するよう布材４で固定された状態で取り付けられている。具体的には、調節留め具３は、図５や図６（ｂ）に示されるように、仕切り部３４を跨いで２つの肩紐通し孔３２，３３を通過して背中側の衣類本体部分１０（Ｒ）に達する程度の所要の長さ及び幅の短冊状の布材４を用い、その布材４を、調節留め具３における仕切り部３４を跨いだ状態にするとともに、その長手方向の両端部４ａ，４ｂを２つの肩紐通し孔３２，３３を通過させた後に背中側の衣類本体部分１０（Ｒ）に縫製７等の手段により固定することで、調節留め具３の固定を行っている。
【００２４】
この布材４で固定される調節留め具３は、背中側の衣類本体部分１０（Ｒ）に対して、その２つの肩紐通し孔３２，３３を通過した部分の肩紐２Ａ，２Ｂを、調節留め具３と背中側の衣類本体部分１０（Ｒ）の間で通すことができる程度の隙間をあけた状態（浮かせた状態）で取り付けられる。この布材４としては、例えば、綿、麻、絹、ポリエステル、ポリウレタン、ナイロン等の所要の材料を用いて構成される材料が適用される。
【００２５】
そして、肩紐２Ａ，２Ｂは、図４、図５、図６（ｃ）に示されるように、この背中側の衣類本体部分１０（Ｒ）の内側部分に取り付けられた調節留め具３に対して、その一方の端部２１を調節留め具３の仕切り部３４（布材４を含む）を跨いだ状態になるよう肩紐通し孔３２，３３を通過させた後、背中側の衣類本体部分１０（Ｒ）の内側に存在させる。肩紐２Ａ，２Ｂは、その一部が調節留め具３に上述したように通過させた状態にすることで調節留め具３に留められて不動の状態（位置が固定された状態）に保たれる。
【００２６】
また、肩紐２Ａ，２Ｂは、図３に示されるように、その他方の端部２２を衣類本体のうち胸側になる衣類本体部分１０（Ｆ）の上端部における所要の位置に取り付けられる。肩紐２Ａ，２Ｂの他方の端部２２を胸側の衣類本体部分１０（Ｆ）に取り付ける際、その取り付けは縫製の他、装着用の留め具などを介して行われる。
【００２７】
また、肩紐付き衣類１においては、図４等に示されるように、肩紐２Ａ，２Ｂのうち調節留め具３で留められた部分以外で背中側の衣類本体１０（Ｒ）の内側部分に存在する部分の一部を背中側の衣類本体部分１０（Ｒ）の内側部分に接触又は接近させた状態に保つ３つの保持部５Ａ，５Ｂ，５Ｃを設けている。
【００２８】
このうち保持部５Ａ，５Ｂは、調節留め具３により留められた肩紐２Ａ，２Ｂを安定した状態に保つ等の観点から、その調節留め具３の両端側の近傍位置（各肩紐通し孔３２，３３に接近した位置）に配置している。また、保持部５Ｃは、肩紐２Ａ，２Ｂの各端部２１が存在する部分を安定した状態に保持するため、保持部５Ｂから少し離れた位置に配置している。
また、この３つの保持部５Ａ，５Ｂ，５Ｃはいずれも、短冊状の布材を用い、その中央側を衣類本体１０（Ｒ）の内側部分から肩紐２Ａ，２Ｂの通過が可能になる程度だけ浮かせた状態にし、その両端部を縫製７により衣類本体１０（Ｒ）の内側部分に固定することで構成されたものである。この保持部５を構成する布材は、例えば、衣類本体１０の生地と同じものが適用される。
【００２９】
さらに、この肩紐付き衣類１においては、図４等に示されるように、肩紐２Ａ，２Ｂのうち背中側の衣類本体部分１０（Ｒ）の内側部分に存在する端部２１に、少なくとも調節留め具３（肩紐通し孔３２，３３）から抜けて外れることや、必要に応じて３つの保持部５Ａ，５Ｂ，５Ｃから容易に抜けて外れることを防止するための抜け防止部６Ａ，６Ｂを設けている。
【００３０】
この抜け防止部６Ａ，６Ｂはいずれも、調節留め具３の肩紐通し孔３２，３３よりも大きい寸法や形状からなる短冊状の布材を用い、その長手方向の中央部を肩紐２Ａ，２Ｂの各端部２１に縫製等により固定したものである。実施の形態１における抜け防止部６Ａ，６Ｂは、保持部５Ａ，５Ｂ，５Ｃの背中側の衣類本体１０（Ｒ）との間の隙間を通過しないようにするため、その隙間よりも大きな寸法になるよう設定されている。
ちなみに、この抜け防止部６Ａ，６Ｂは、肩紐２Ａ，２Ｂの各端部２１を、調節留め具３の肩紐通し孔３２，３３と保持部５Ａ，５Ｂ，５Ｃにおける上記隙間を通過させた後に取り付けられる。また、抜け防止部６Ａ，６Ｂは、肩紐２Ａ，２Ｂの長さを長めに変更することを可能にすることなどを考慮し、保持部５Ｃから所要の距離だけ離れた位置まで延ばした状態にした肩紐２Ａ，２Ｂの端部２１に取り付けられる。
【００３１】
以上の構成からなる肩紐付き衣類１は、着用した場合、図７に示されるように、その着用者の人体の背中側から見たとき、肩紐２Ａ，２Ｂの調節留め具３が背中側の衣類本体部分１０（Ｒ）に隠れた状態になり、外側から視認されることがない。この肩紐付き衣類１は、その着用者の胸側（正面側）から見たときも、その調節留め具３が外側から視認されないことは勿論である。図７中の符号９０は、この衣類１を着用した着用者の肩を示す。
【００３２】
また、この肩紐付き衣類１は、調節留め具３が背中側の衣類本体部分１０（Ｒ）の内側部分に配置されているので、例えば調節留め具３を胸側の衣類本体部分１０（Ｒ）の内側部分に配置した場合に比べて、着用感が良好であり、見栄えが損なわれにくい。
また、調節留め具３が背中側の衣類本体１０（Ｒ）の内側部分に布材４で固定されているので、その調節留め具３が衣類本体１０（Ｒ）の内側部分に安定して存在することになり、取り扱いやすいものになる。
さらに、肩紐２Ａ，２Ｂの調節留め具３で留められた部分以外で背中側の衣類本体１０（Ｒ）の内側部分に存在する部分（端部２１側の部分）が保持部５Ａ〜５Ｃに保持されているので、その衣類本体１０（Ｒ）の内側部分に整然とした状態で存在するようになり、これによっても着用感や見栄えが損なわれるおそれがない。
さらにまた、肩紐２Ａ，２Ｂのうち背中側の衣類本体１０（Ｒ）の内側部分に存在する部分（端部２１側の部分）に抜け防止部６Ａ，６Ｂが設けられているので、その２Ａ，２Ｂが調節留め具３から不用意に抜けて外れるおそれもなくなり、安心した着用感や取り扱いやすさが得られる。
【００３３】
この他、この肩紐付き衣類１は、肩紐２Ａ，２Ｂの長さＬを調節するときは、基本的に従来の調節留め具の場合とほぼ同様の調節の仕方になるが、例えば次のように対応すればよい。
【００３４】
すなわち、図８（ａ）に例示するように、まず肩紐２Ａ，２Ｂを調節留め具３における仕切り部３４の上方に引き出す（図８ａ）。
しかる後、その引き出した分の肩紐２Ａ，２Ｂを人体の肩９０側に向けて引き上げて調節留め具３からずらすように対応した場合は、図８（ｂ）に例示するように、肩紐２Ａ，２Ｂの衣類本体１０の上端１３から他端部２２までの長さが長さ（Ｌ）から寸法αだけ長くなった長さ（Ｌ＋α）に調節される。この結果、衣類本体１０は、その上端１３が調節前の高さ（ＫＨ）から下方（人体の肩９０から遠ざかる方向）に距離ｈ１だけ移動することになる。
反対に、その引き出した分の肩紐２Ａ，２Ｂを人体の肩９０から遠ざける側に引き下ろして調節留め具３からずらすように対応した場合は、図８（ｃ）に例示するように、肩紐２Ａ，２Ｂの長さが長さ（Ｌ）から寸法βだけ短くなった長さ（Ｌ−β）に調節される。この結果、衣類本体１０は、その上端１３が調節前の高さ（ＫＨ）から上方（人体の肩９０に近づく方向）に距離ｈ２だけ移動することになる。
【００３５】
［他の実施の形態］
実施の形態１では、肩紐付き衣類１としてキャミソールに適用した場合を例示したが、この肩紐付き衣類１は他の種類の衣類に適用することが可能である。その他の種類の衣類１としては、例えば、ブラジャー、ブラキャミソール、スリップ、ブラスリップ、水着、ワンピース、ドレス等が挙げられる。
【００３６】
また、実施の形態１では、調節留め具３を背中側の衣類本体１０（Ｒ）の内側部分に存在し続けるように取り付ける場合を例示したが、衣類の種類等によっては、調節留め具３を胸側の衣類本体１０（Ｆ）の内側に存在し続けるように取り付けるようにしてもよい。
【００３７】
また、実施の形態１では、調節留め具３の一部を衣類本体１０に布材４により固定した状態で取り付ける場合を例示したが、調節留め具３が衣類本体１０の内側部分の所定位置に存在し続けるように取り付けることが可能であれば、他の固定手段を採用しても構わない。調節留め具３については、エイト環３１以外の種類のものを適用することも可能である。
【００３８】
さらに、保持部５や抜け防止部６は、必要に応じて、その一方又は双方を省略しても構わない。抜け防止部６としては、実施の形態１の構成例に限定されず、他の構成を採用してもよい。また、肩紐２についても、実施の形態１の構成例に限定されず、他の構成のものを適用してもよい。
【符号の説明】
【００３９】
１  …肩紐付き衣類
２  …肩紐
３  …調節留め具
４  …布材
５  …保持部
６  …抜け防止部
１０…衣類本体
１０（Ｒ）…背中側の衣類本体
２１…肩紐の衣類本体の内側部分に存在する端部
３１…エイト環（板状体の一例）
３２，３３…肩紐通し孔
【図１】
0003204893.tif 000003
【図２】
0003204893.tif 000004
【図３】
0003204893.tif 000005
【図４】
0003204893.tif 000006
【図５】
0003204893.tif 000007
【図６】
0003204893.tif 000008
【図７】
0003204893.tif 000009
【図８】
0003204893.tif 000010
【図９】
0003204893.tif 000011